(57)【要約】  【課題】冷蔵庫に代表される物品貯蔵装置は大きく、貯蔵室の数や機能は構造上固定されており、個々の生活レベルでのニーズが細分化される現在、必要に応じて機能だけを変更したり、移動したりすることは困難ある。  【解決手段】本発明の物品貯蔵装置は、本体から着脱または交換を可能に具備した機能を有する収納容器を備え、前記収納容器は前記本体より分離した後、前記本体から離れた場所において、ある所定の時間、機能を維持することを可能としている。また、前記収納容器の機能は、電源によって駆動される駆動手段を具備し、前記電源は電磁結合を利用した非接触電源とする。【選択図】図７
2006336969.tif 000002
【特許請求の範囲】
【請求項１】
物品を収容貯蔵する貯蔵本体に、着脱または交換可能な収納容器を設け、また、前記収納容器に、少なくとも前記貯蔵本体からのエネルギーによって容器内部の収納空間の環境を創出する機能装置と、前記機能装置によって創出された容器内環境を維持する環境維持手段を備えた物品貯蔵装置。
【請求項２】
前記収納容器に、前記貯蔵本体からの電源によって駆動される駆動手段を具備し、前記電源を、電磁結合を利用した非接触電源とし、前記貯蔵本体に供給側非接触電源装置を、前記収納容器に受給側非接触電源装置をそれぞれ設けた請求項１に記載の物品貯蔵装置。
【請求項３】
前記貯蔵本体と別体からなり、前記収納容器に設けた受給側非接触電源装置と整合する供給側非接触電源装置を具備したサポート装置を設けた請求項１または請求項２に記載の物品貯蔵装置。
【請求項４】
前記収納容器における前記貯蔵本体および前記サポート装置への装着状態において、前記供給側非接触電源装置と前記受給側非接触電源装置を、その接合面もしくはその近傍の位置関係に配置した請求項２または請求項３に記載の物品貯蔵装置。
【請求項５】
前記供給側非接触電源装置および前記受給側非接触電源装置に、相互の情報の送受を行う制御装置を設け、さらに、前記相互の情報の送受を無線にて行う無線通信手段を備えた請求項２から４のいずれか一項に記載の物品貯蔵装置。
【請求項６】
前記無線通信手段を、赤外線を用いた赤外線通信手段とし、前記赤外線通信手段を、前記本体と前記収納容器の接合面もしくはその近傍に設けた請求項５に記載の物品貯蔵装置。
【請求項７】
前記無線通信手段を、前記供給側非接触電源装置と前記受給側非接触装置による電源供給に制御信号を重ねる電源重畳通信を用いた請求項５に記載の物品貯蔵装置。
【請求項８】
前記供給側非接触電源装置に、前記収納容器が所定の場所に収められていない場合、前記供給側非接触電源装置の給電動作を停止する給電制御手段を設けた請求項２から請求項７のいずれか一項に記載の物品貯蔵物品貯蔵装置。
【請求項９】
前記供給側非接触電源装置と前記受給側非接触電源装置の間での給電動作において、相手装置の適合認証を行った後に電源供給を開始する認証制御手段を設けた請求項２から請求項８のいずれか一項に記載の物品貯蔵装置。
【請求項１０】
前記供給側非接触電源装置と前記受給側非接触電源装置の間での前記認証の結果を報知する報知手段を設けた請求項９に記載の物品貯蔵装置。
【請求項１１】
前記収納容器を、断熱性を有する材料より構成した請求項１から請求項１０のいずれか一項に記載の物品貯蔵装置。
【発明の詳細な説明】
【技術分野】
【０００１】
本発明は、使用者の目的や生活に合わせて使用形態を簡単に変更ができる物品貯蔵装置に関する発明である。
【背景技術】
【０００２】
食料品を保存する物品貯蔵装置としてよく使用される家庭用冷蔵庫は、冷凍冷蔵による食品保存機能に加えて、脱臭機能や自動製氷装置や解凍機能などの付加機能を搭載したものが数多く普及している。
【０００３】
しかし、冷蔵庫は一体化構造であるため、付加機能の変更や追加あるいは、容量の変更は買換えを必要とし、貯蔵室の一部のみを切離して使用するなど、使用形態を変更することも困難である。また機能拡張や機能の分離を図る際に、安全な電源供給方法が課題となる。
【０００４】
そこで、使用者のライフスタイルに応じて冷蔵庫の容積や各貯蔵室の組合せが変更できる冷蔵庫が知られている（特許文献１参照）。
【０００５】
以下、図面を参照しながら上記特許文献１に記載される冷蔵庫について説明する。
【０００６】
図２０は、ユニット化された複数の貯蔵室を自由に配置、組合せ、容積の変更・増減することができるコンポーネント冷蔵庫である。この冷蔵庫は、ブライン冷却式のペルチェ素子で貯蔵室を冷却する第１から第３の貯蔵ユニット１０１、１０２、１０３と、蒸気圧縮式の冷凍サイクルで貯蔵室を冷却する第４の貯蔵ユニット１０４および、前記ブラインを冷却する放熱ユニット１００を備え、前記各貯蔵ユニットを適宜上下に積み重ねることによって構成されている。したがって、前記各貯蔵ユニットは、互いに異なる温度帯に設定でき、冷気が互いに循環しないように独立した複数の貯蔵室として機能する。
【０００７】
また安全な電源供給方式として、過電流検知機能を備えた非接触電源が開発されている（特許文献２参照）。
【０００８】
図２１は、上記特許文献２に記載される非接触電源を備えた携帯電話の充電システムを説明するブロック回路図である。
【０００９】
図２１に示すように、この充電システムは、本体（以下、充電器と称す）１０５と、該本体１０５へ着脱自在に装着される別体（以下、携帯電話器と称す）１１２とから成り、携帯電話器１１２が充電器１０５に装着された状態では、充電器１０５に設けられた一次側結合回路１１０と携帯電話器１１２に設けられた二次側結合回路１１３とが電磁結合する構成である。
【００１０】
上記携帯電話システムの電源回路は、一次側結合回路１１０の電流値を検出する電流検出回路１０９と、一次側結合回路１１０の実電流値と基準電流値との差分値を算出する補正値算出手段と、一次側結合回路１１０の電流制限値と前記差分値とを足し合わせて得られる値を閾値として一次側結合回路１１０の過電流を検出する過電流検出手段と、過電流が検出されたときには前記一次側結合回路への給電を遮断する給電遮断回路１０８より構成されている。
【特許文献１】特開２００３−１３０５３８号公報
【特許文献２】特開２００１−１１２１８９号公報
【発明の開示】
【発明が解決しようとする課題】
【００１１】
しかしながら、上記特許文献１に示す冷蔵庫は、前記貯蔵室の追加や削除を行うには重く、複雑な構造であり実用性に欠けるものである。
【００１２】
また機能拡張や機能分離を図る際に電源の取り方が問題となる。すなわち、従来どおり有接点で電源供給を行うことは、接点部の着火や、汚れ、水分による漏電などの危険性が伴い、上記特許文献２に示されるような電磁結合を利用した非接触電源を用いることが有益である。
【００１３】
しかし、上記特許文献２の電源供給は、過電流検知を行うのみで、電源供給を行う一次側結合回路と二次側結合回路が電磁結合する条件であれば、負荷の種類に関わらず負荷への電源供給が行われてしまう。したがって、冷蔵庫等の電源として用いた場合は、負荷に適した電源供給を行う保証はなく、低電圧での動作など、不安全な動作をさせる可能性を持つという課題を有していた。
【課題を解決するための手段】
【００１４】
上記従来の課題を解決するために、本発明の物品貯蔵装置は、物品を収容貯蔵する貯蔵本体に、着脱または交換可能な収納容器を設け、また、前記収納容器に、少なくとも前記貯蔵本体からのエネルギーによって容器内部の収納空間の環境を創出する機能装置と、前記機能装置により創出された容器内環境を維持する環境維持手段を備えたもので、前記収納容器の持運びが可能となり、しかも、前記収納容器は、貯蔵本体から取外しても環境維持手段によって容器内環境が維持できるため、利便性を高めることができる。
【００１５】
また、前記収納容器の機能装置は、電源によって駆動されるため、特に、前記電源を、電磁結合を利用した非接触電源とすることにより、利便性が一層向上するとともに、安全性の向上もはかれるものである。
【発明の効果】
【００１６】
本発明の物品貯蔵装置は、所望の容器内環境にある収納容器を貯蔵本体から取外し、離れた場所へ持運んで、手元で使用することができ、利便性を高めるものである。
【発明を実施するための最良の形態】
【００１７】
請求項１に記載の発明は、物品を収容貯蔵する貯蔵本体に、着脱または交換可能な収納容器を設け、また、前記収納容器に、少なくとも前記貯蔵本体からのエネルギーによって容器内部の収納空間の環境を創出する機能装置と、前記機能装置によって創出された容器内環境を維持する環境維持手段を備えたものである。
【００１８】
かかる構成とすることにより、必要に応じて前記収納容器を前記貯蔵本体より取外し、該貯蔵本体と異なる場所へ前記収納容器を移動させた際でも、前記環境維持手段によりある時間、前記収納容器の備える機能を維持でき、利便性が向上するものである。
【００１９】
請求項２に記載の発明は、前記収納容器に、前記貯蔵本体からの電源によって駆動される駆動手段を具備し、前記電源を、電磁結合を利用した非接触電源とし、前記貯蔵本体に供給側非接触電源装置を、前記収納容器に受給側非接触電源装置をそれぞれ設けたもので、電源供給の金属接点を構成しないため、飲食物の保存の際に発生した水分や汚れの金属接点への付着に起因する漏電などの危険性を防ぐことができる。
【００２０】
請求項３に記載の発明は、前記貯蔵本体と別体からなり、前記収納容器に設けた受給側非接触電源装置と整合する供給側非接触電源装置を具備したサポート装置を設けたものである。
【００２１】
かかる構成とすることにより、前記サポート装置によっても前記収納容器の機能を動作させ、引き続いて前記収納容器の備える機能が維持できる。
【００２２】
請求項４に記載の発明は、前記収納容器における前記貯蔵本体および前記サポート装置への装着状態において、前記供給側非接触電源装置と前記受給側非接触電源装置を、その接合面もしくはその近傍の位置関係に配置したもので、前記収納容器と供給側非接触電源装置との電源接続が簡単に行える。
【００２３】
請求項５に記載の発明は、前記供給側非接触電源装置および前記受給側非接触電源装置に、相互の情報の送受を行う制御装置を設け、さらに、前記相互の情報の送受を無線にて行う無線通信手段を備えたものである。
【００２４】
かかる構成により、配線をコネクタで接続するなど、使用者は複雑な操作をすることなく、前記貯蔵本体または前記サポート装置と前記収納容器がそれぞれ備える制御装置間でのデータ通信を行うことができる。
【００２５】
請求項６に記載の発明は、前記無線通信手段を、赤外線を用いた赤外線通信手段とし、前記赤外線通信手段を、前記本体と前記収納容器の接合面もしくはその近傍に設けたもので、前記無線通信を赤外線で行うことにより、電磁波等の影響を受けることなく信頼性の高い通信が可能となる。
【００２６】
請求項７に記載の発明は、前記無線通信手段を、前記供給側非接触電源装置と前記受給側非接触装置による電源供給に制御信号を重ねる電源重畳通信を用いたもので、電源供給と、制御信号等のデータ通信を同一の経路で行うことができ、通信のための配線回路が簡素化できる。
【００２７】
請求項８に記載の発明は、前記供給側非接触電源装置に、前記収納容器が所定の場所に収められていない場合、前記供給側非接触電源装置の給電動作を停止する給電制御手段を設けたもので、不必要な電源消費が防止でき、高い安全性と省エネ効果が得られる。
【００２８】
請求項９に記載の発明は、前記供給側非接触電源装置と前記受給側非接触電源装置の間での給電動作において、相手装置の適合認証を行った後に電源供給を開始する認証制御手段を設けたもので、認証を行った後に前記電源供給を開始するため、所定の収納容器以外は動作することがなく、不特定多数の非接触電源を用いた機器を前記供給側非接触電源装置に近づけた場合の不安全な動作を防ぐことができる。
【００２９】
請求項１０に記載の発明は、前記供給側非接触電源装置と前記受給側非接触電源装置の間での前記認証の結果を報知する報知手段を設けたもので、前記報知手段により、使用者は前記収納容器が使用可能であるかを確認することができる。
【００３０】
請求項１１に記載の発明は、前記収納容器を、断熱性を有する材料より構成したもので、前記貯蔵本体から前記収納容器を取外した状態において、前記収納容器内の温度変化を抑制することができる。
【００３１】
以下、本発明の実施の形態について、図面を参照しながら説明する。なお、この実施の形態によってこの発明が限定されるものではない。
【００３２】
（実施の形態１）
本発明の物品貯蔵装置における実施の形態として、主に食料品の貯蔵を用途とする冷蔵庫を用いて説明する。
【００３３】
図１は、本発明の実施の形態１における冷蔵庫の一部の扉を開放した状態の正面図である。図２は、同実施の形態１における着脱可能な収納容器の一例である製氷室の外観図である。図３は、同実施の形態１における図２の製氷室を備える部分の断面構造を示す冷蔵庫の要部正面断面図である。図４は、同実施の形態１における図２の製氷室を備える冷蔵庫の要部側断面図である。図５は、同実施の形態１における冷蔵庫の制御構成を示すブロック回路図である。図６は、同実施の形態１における冷蔵庫の製氷室を取外した状態の要部側断面図である。図７は、同実施の形態１における冷蔵庫より取外した製氷室単体の卓上使用状態を示す側断面図である。
【００３４】
図１に示すように、冷蔵庫本体１は、複数の貯蔵室（収納空間）１ａ、１ｂ、１ｃ、１ｄを備え、その一つの収納空間１ｅ（図３）に製氷室２が取外し可能に装着されている。製氷室２は、図２に示すように、主に製氷皿５と、製氷皿５からの離氷のために製氷皿５を回す製氷モータ、ギア等からなる駆動機構部４、さらに、天面部には、前記製氷モータの駆動源である受給側非接触電源装置３が設けられている。この製氷室２は、断熱材製の外箱２ａと、この外箱２ａ内に摺動可能に設けられた箱状の引出し６で構成されており、引出し６は、取っ手６ａを備える面が、外箱２ａの開口部を開閉する蓋を兼ねる関係から前記蓋部は断熱材製となっている。したがって、製氷室２は、取っ手６ａに手をかけて引出し６を抜き出すことにより、机の引出し等に採用されているレール構造の如く周知の構成からなる引出しレール９の伸び動作によって内部に収納したトレー１２を取出す構造となっている。
【００３５】
前記着脱可能な製氷室２は、外箱２ａの左右両側壁において引出し６の抜き出し方向（奥行き方向）に延びる固定溝７を設けている。また、図３に示すように、製氷室２を収納する冷蔵庫本体１側の収納空間１ｅには、その左右両側壁にそれぞれ奥行き方向に延びる固定レール１１が設けられている。製氷室２（外箱２ａ）は、収納空間１ｅにおいて、固定溝７と固定レール１１による凹凸の噛み合い構造で収納空間１ｅ内において収納支持される。この収納支持状態において、取っ手６ａに手をかけ、引出すことによって引出し６が操作できる。また、取っ手６ａの上方に設けた把手６ｂに手をかけて引出すことにより、製氷室２を冷蔵庫本体１から取出すことができる。この製氷室２の取出しについては、周知の機構、手段でよく、例えば、把手６ｂを握ることにより、引出し６内に没入していた係合片が突出し、外箱２ａ内面の適宜箇所に設けた係合部に係合する機構（図示せず）を設け、その状態において把手６ｂを引出し操作することによって外箱２ａごと引出すことができる構成を採用している。また、別途冷蔵庫本体１にスイッチ（図示せず）を設け、このスイッチの操作により、冷蔵庫本体１に設けたソレノイド機構あるいはモータ動力による押し出し機構（いずれも図示せず）を収納空間１ｅの背面部に設け、外箱２ａをその背面から押出すように構成することも可能である。いずれにしろ、この製氷室２の取出し機構は、周知の機構の採用が可能であり、詳細な説明は省略する。
【００３６】
また、冷蔵庫本体１における収納空間１ｅの天面には、製氷室２が正規の位置に装着された状態において受給側非接触電源装置３への給電を可能とする供給側非接触電源装置１０が設けられている。したがって、冷蔵庫本体１の所定の位置に製氷室２を固定することで、供給側非接触電源１０と受給側非接触電源装置３の位置決めが一義的になされ、電磁結合により、製氷室２の機構部４（製氷モータ２９）への電源供給が行われる。
【００３７】
次に、製氷関係の構造について説明する。
【００３８】
図４に示すように、製氷室２が正規に装着されている状態において、製氷室２とは別の上部に位置する貯蔵室１ａに給水タンク１４を設け、その供給口が貯蔵室１ａの底部壁に埋設した電磁弁１５を介して製氷室２の天面に設けた給水口１６につながっている。電磁弁１５と給水口１６の接合面は、ゴムなどの素材により水漏れを防ぐパッキン（図示せず）を備えている。
【００３９】
また、製氷室２を冷蔵庫本体１の所定の位置に固定すると、冷蔵庫本体１の背面に形成された突起１８が、製氷室２の背面に設けたダンパ１９を押出し、同様に製氷室２の背面に形成した突起１７が、冷蔵庫本体１の冷却風路１３に設けたダンパ２０を押出す。したがって、製氷室２内には、各ダンパ１９、２０の開放により、通気口８が開通し、冷蔵庫本体１の冷却風路１３から製氷する冷気が取込まれる。
【００４０】
上記構成により、冷蔵庫本体１の冷却エネルギー（冷却空気）を利用して製氷室２内の製氷環境が形成され、製氷機による製氷機能動作が可能となる。
【００４１】
次に、上記構成における冷蔵庫全体の制御構成について説明する。
【００４２】
図５に示すように、冷蔵庫本体１に設けた冷蔵庫回路部２１は、冷蔵庫全体の制御を行う制御装置２３を中心に、周波数変換回路２６と周波数検知回路２７と供給側非接触電源装置１０、さらに実施の形態５で後述する受給側非接触電源が不適合な場合に動作し、音、光等で報知する報知器９２を備えており、また主な負荷として、電磁弁１５、コンプレッサ２４、ファン２５を記載する。
【００４３】
また、着脱可能な製氷室２に設けた製氷室回路部２２は、供給側非接触電源装置１０と対をなす受給側非接触電源装置３と、周波数変換回路２８を備え、主な負荷として、製氷モータ２９および、製氷室２内の温度を検出する温度センサ３０を記載する。
【００４４】
冷蔵庫回路部２１および製氷室回路部２２は、周知の如くマイクロコンピュータを中心とする複数の回路（入力回路、処理・演算回路・出力回路等）より構成されており、詳細な説明は省略する。
【００４５】
そして、冷蔵庫本体１に設けた冷蔵庫回路部２１と製氷室２に設けた製氷室回路部２２における電源および各種信号の送受は、次のようにして行われる。
【００４６】
製氷モータ２９の動作命令は、冷蔵庫本体１の制御装置２３から周波数変換回路２６によってその命令内容がある所定の周波数に変換され、その周波数（制御信号）を供給側非接触電源装置２１にて電源に重畳させて製氷室２側へ送信する。製氷室２側では、前記電源とこれに重畳した制御信号を受給側非接触電源装置３で受信し、製氷モータ２９への電源供給と動作命令の伝達を行う。
【００４７】
製氷室２内の温度は、備えている温度センサ３０にて検知し、周波数変換回路２８にて所定の周波数の信号に変換し、受給側非接触電源装置３を介して、供給側非接触電源装置１０へ送信する。供給側非接触電源装置１０の制御装置２では、周波数検知回路２７により送信された制御信号を認知することができる。この重畳信号方式を採用することにより、製氷モータ２９の動作状態のフィードバックも同様に行うことができる。
【００４８】
以上のように構成された冷蔵庫は、冷蔵庫本体１に製氷室２装着しての製氷を実現するだけでなく、図７に示すように、製氷室２ごと冷蔵庫本体１から取外して持運びすることができる。製氷室２は、断熱材で密閉構造をとっているため、外気の影響が受けにくく、さらに、冷蔵庫本体１に取付けられていた時に開いていた通気口８は、バネ１９ａにより常時閉塞状態に付勢されたダンパ１９により塞がれる。
【００４９】
したがって、製氷室２の内部は、全体としてトレー１２上に生成された氷が解けにくい環境に維持されている。
【００５０】
また、製氷室２を外した冷蔵庫本体１の収納空間１ｅは、図６に示すように、バネ２０ａによって常時閉塞状態に付勢されたダンパ２０により、通気口８が塞がれ、冷気が外に漏れない構造となっている。なお、この着脱可能な製氷室２内に蓄冷剤を設けることにより、一層製氷室２内の保冷効果を高めることができる。
【００５１】
以上のように本実施の形態１は、冷蔵庫の一つの貯蔵室（ここでは製氷室２）を、冷蔵庫本体１より着脱可能に装着されるユニット構造とすることにより、その貯蔵室（製氷室２）を冷蔵庫から離れた場所へ持運び、使用することができる。したがって、製氷室２の場合は、断熱性を有する氷入れ容器としての機能を果たし、利便性を高めるものである。
【００５２】
また、製氷室２は、冷蔵庫本体１からのエネルギー（電源、冷却エネルギー等）を利用して該当貯蔵室（製氷室２）の環境（製氷環境）を創出する独立した機能を備えており、この製氷室２の製氷機能に代えて他の環境、例えばイオン空質空間、加湿空間、除菌・滅菌空間、温蔵保温空間等を創出する機能を備えた貯蔵室を用いることもできる。これらの環境創出手段は、周知の技術を用いることにより、実現できる。
【００５３】
そして、貯蔵室内環境を維持する手段としては、本実施の形態１においては、外箱２ａと引出し６の備える断熱性あるいは保冷補助としての蓄冷剤としたが、上述の創出される環境内容によっては、密封性容器、あるいは該当する環境内容を補助する補助物質が該当する。
【００５４】
さらに、電源供給の手段として非接触電源を用い、制御信号を電源重畳で無線通信を行うことで、独立したユニットへの電源供給および通信を、配線の接続の手間もなく簡単に、かつ安全に実現することができる。かかる電源制御、通信制御は、水、埃、汚れ等に起因する漏電対策に有利であり、特に可燃性の高いノンフロン冷媒を用いる冷蔵庫を本体とする場合に、冷媒の漏洩時の防爆対策として大変有効である。
【００５５】
また、制御信号関係において、前述の電源への重畳送受信方法に代えて、赤外線通信を利用した制御とすることも可能である。かかる場合は、例えば、図４に示すように、相対する製氷室２と貯蔵空間１ｅの部分に、赤外線素子９０、９１を設け、この赤外線信号を電気信号に変換して冷蔵庫回路部２１、製氷室回路部２２でそれぞれ処理を行うようにすればよい。具体的な回路構成は、周知の構成でよいため、説明を省略する。
【００５６】
（実施の形態２）
図８は、本発明の実施の形態２における冷蔵庫で、実施の形態１と同様、着脱可能な製氷室２を備える冷蔵庫の要部側断面図である。図９は、同実施の形態２における冷蔵庫の制御構成を示すブロック回路図である。図１０は、同実施の形態２における冷蔵庫において、製氷室を冷蔵庫より外して卓上へ移動させたときの状態を示す側断面図である。図１１は、同実施の形態２における前記製氷室を卓上状態で使用する場合の制御構成を示すブロック図である。
【００５７】
本実施の形態２において、冷蔵庫１および製氷室２のそれぞれの基本構成は、先の実施の形態１と同様であり、ここでは、先の実施の形態１と同じ構成部品については同一の符号を用いて説明し、特に先の実施の形態１と異なる内容を中心に説明する。
【００５８】
本実施の形態２における製氷室２は、図８に示すように、内部に設けたトレー１２の下に、輻射冷却板３２と、輻射冷却板３２と熱伝達可能に設けられた冷却源としてのペルチェ素子３３およびペルチェ素子３２の放熱素子３４を配置した点、および後述する磁性スイッチ３５を設けた点が先の実施の形態１と相違する。
【００５９】
また、供給側非接触電源装置１０および受給側非接触電源装置３は、先の実施の形態１と同様に冷蔵庫本体１と製氷室２の接合面である下部、すなわち、収納空間１ｅの底面と製氷室２の底面にそれぞれ対応して設けている。また、磁性スイッチ３５は、受給側非接触電源装置３と同様に、製氷室２の底部に設けられ、図９に示す如くペルチェ素子３３の通電を制御するように接続配置されている。通常磁性スイッチ３５は、開放されている。
【００６０】
したがって、製氷室２の冷蔵庫本体１への装着状態における制御回路構成は、図９の状態にあり、ペルチェ素子３４へは通電されず、製氷は、実施の形態１と同様、冷蔵庫本体１の冷気を取込んで行われる。
【００６１】
以上のように構成された冷蔵庫は、実施の形態１と同様、冷蔵庫本体１に着脱可能な製氷室２を取付けての製氷を実現するだけでなく、製氷室２ごと冷蔵庫本体１から外して持運びすることができる。
【００６２】
また、冷蔵庫本体１より取外した製氷室２は、図１０に示すように、卓上電源装置３６を用いることにより、例えば冷蔵庫本体１より離れた場所（卓上３１）で使用することが可能となる。
【００６３】
次に、製氷室２を卓上電源装置３６と併用使用した場合について説明する。
【００６４】
卓上電源装置３６は、図１０、図１１に記載の如く、電源のＯＮ・ＯＦＦを行うスイッチ４０と、冷蔵庫本体１に設けた供給側非接触電源３７と同じ仕様からなる供給側非接触電源装置３７と、製氷室２の戴置状態においてペルチェ素子３３からの放熱を助長する冷却ファン３８と、磁性スイッチ３５と対をなし、その通電動作を制御する磁性素子（磁石等）３９、および冷却ファン３８を駆動するファン用電源４２を備えている。
【００６５】
上記構成において、商用電源４３に卓上電源装置３６のコンセントプラグ４１を挿入し、スイッチ４０をＯＮさせ、着脱可能な製氷室２を卓上電源装置３６の所定の位置に載せることで、製氷室２を補助的に冷却することができる。
【００６６】
すなわち、磁性素子３９と磁性スイッチ３５の近接により、ペルチェ素子３３への電源供給が行われ、冷却動作が開始されるとともに、冷却ファン３８と放熱器３４により放熱動作が行われる。このとき、製氷モータ２９と温度センサ２８は動作しない。ペルチェ素子３３の容量によっては、前記冷却を強化できることはいうまでもない。
【００６７】
したがって、本実施の形態２においては、供給側非接触電源装置３７を備える卓上電源装置３６を用いることで、ペルチェ素子３３を起動させ、着脱可能な製氷室２の内部を予備冷却することができるため、実施の形態１と比べて、氷の解けにくい環境を長く維持することができる。
【００６８】
以上のように本実施の形態２は、実施の形態１と同様、冷蔵庫における貯蔵室の１室（ここでは製氷室２）を着脱可能な独立構造を持つユニット化することで、貯蔵室自体を移動させることができ、冷蔵庫から離れた場所でも、自身の持つ環境機能を継続して使用することができる。加えて、冷蔵庫より離れた場所において、供給側非接触電源装置３７を備える卓上電源装置３６を用いることで、実施の形態１と比べて長い時間、室内の環境状態あるいは機能を維持することができる。
【００６９】
また、本実施の形態２において、ユニット側（製氷室２）に蓄電手段を備えることで、卓上電源装置３６を使用することなく所定時間の環境あるいは機能を維持することができる。
【００７０】
（実施の形態３）
図１２は、本発明の実施の形態３における冷蔵庫の一部の扉を開放した状態の正面図である。図１３は、同実施の形態３における着脱可能な収納容器の一例を示すビールサーバーユニットの外観図である。図１４は、同実施の形態３における図１３のビールサーバーユニットを搭載した冷蔵庫の要部側断面図である。図１５は、同実施の形態３における冷蔵庫において、ビールサーバーユニットを冷蔵庫より取外して卓上へ移動させたときの状態を示す側断面図である。ここで、先の実施の形態１および２と同じ構成部品については、同じ番号を付して説明を省略する。
【００７１】
本実施の形態３の冷蔵庫は、図１２に示すように、貯蔵室１ｃに替えて交換可能な切替え室４４を備えている。この交換可能な切替え室４４は、従来の冷蔵庫と同様、冷却温度幅を調節することができる貯蔵室であるが、図１４に示すように、貯蔵室内部の壁面（下部）に供給側非接触電源装置５２とこの供給側非接触電源装置４２への通電を制御する磁性スイッチ６７を備えており、必要に応じて、図１３に示すビールサーバーユニット４５と切替え室４４の引出しを交換することができる。ビールサーバーユニット４５は、内部に、内蓋５７を有し、ビール（または飲料）を貯留するタンク５６を具備し、また、上面にタンク５６の入替え用の開閉可能な蓋５１を具備している。さらに、ビールサーバーユニット４５の前面には、図１３に示すようにタンク５６と連通する注ぎ口４７、注ぎ口４７を開閉操作する注ぎレバー４６、さらには、注ぎ口４７とタンク５６内を連通する供給口５５（図１４）、および前記ビールの供給駆動源である電動ポンプ５４（図１４）、電動ポンプ５４の回転数を切替える切替えスイッチ４９が設けられている。これらのサーバー構造は、周知の構成でよいため、詳細な説明は省略する。
【００７２】
また、ビールサーバーユニット４５の背面には、先の実施の形態における製氷室２と同様にダンパ６４および突起６２が設けられ、冷蔵庫本体１の冷却風路１３側に設けたダンパ６４と突起６１の作用によって、実施の形態１または２で説明したように、正規の装着状態において冷蔵庫本体１の冷気を取込んでビールを冷却することができる。また、ビールサーバーユニット４５は、底面部に、供給側非接触電源装置５２と対応する受給側非接触電源装置５３と、タンク６５の底部と熱伝導する如く配置された輻射冷却板５８およびペルチェ素子５９と放熱器６０、所定の位置で磁性スイッチ６７をＯＮ動作させる磁性素子（磁石等）６６を設けている。ここで、磁性スイッチ６７と磁性素子６６の設ける位置関係は、正規の位置で磁性スイッチ６７をＯＮ動作させる関係であれば逆としてもよい。
【００７３】
上記構成において、ビールサーバーユニット４５は、前記非接触電源装置によるペルチェ素子５９の冷却作用と、冷却風路１３からの冷気による急速冷却も可能となる。また、図４９に示す切替えスイッチ４９にて、電動ポンプ５４の制御を切替え、注ぎ口からのビールの状態（泡のきめ細かさ、量など）を可変させることができる。
【００７４】
以上のように構成された冷蔵庫は、必要に応じて通常の貯蔵室である切替え室４４を、ビールサーバーユニット４５などの異なる機能へ変更することができる。ビールサーバーユニット４５においては、冷蔵庫本体１に取付けた状態で冷却することができ、その状態でビールを注ぐことで、冷蔵庫全体からビールを入れているような豪快間を演出することができる。
【００７５】
また、ビールサーバーユニット４５は、実施の形態２と同様に冷蔵庫本体１に取付けて使用するだけでなく、ビールサーバーユニット４５ごと冷蔵庫本体１から取外して持運びすることができる。
【００７６】
さらに、図１５に示すように、冷蔵庫本体１より離れた場所（卓上３１）にて、供給側非接触電源装置３７を備える卓上電源装置３６を用いることで、ペルチェ素子５９を起動させ、着脱可能な製氷室２の室内を継続して予備的に冷却することができるため、ビールの飲み頃の温度を長く維持することができる。
【００７７】
冷蔵庫本体１におけるビールサーバーユニット４５の未搭載時は、磁性スイッチ６７をＯＮさせる磁性素子６６が近接していないため、供給側非接触電源装置５２は動作せず、安全性が確保される。
【００７８】
（実施の形態４）
図１６は、本発明の実施の形態４における冷蔵庫の一部の扉を開放した状態の正面図である。図１７は、同実施の形態４における冷蔵庫の引出し型冷蔵室の構造を示す要部側断面図である。図１８は、同実施の形態４における冷蔵室内の収納トレーをＩＨ調理器上へ移動させたときの要部側断面図である。ここで、先の実施の形態と同じ構成部については、同一の符号を付して説明を省略する。
【００７９】
本実施の形態４における冷蔵庫は、図１６に示すように、貯蔵室１ｂに替えて一般的な構成からなる引出し型の冷蔵室６８を備えるものである。
【００８０】
冷蔵室６８は、図１７に示す如く引出しレール７０に沿って引出され、内部を開放する周知の構成となっている。そして、内部には、トレー型の収納容器（以下、冷却トレーと称す）７１を収納している。この冷蔵室６８における内部の冷却は、背部に設けた通気口６９から冷却風路１３の冷気を取り込むことによって行われる。
【００８１】
冷却トレー１７は、底部に受給側非接触電源装置７２を設けており、また側壁に冷却板７３と放熱器７５を具備したペルチェ素子７４を設けている。冷却トレー７１は、冷蔵室６８の中では、既存の収納容器と同様の形態で使用可能である。
【００８２】
以上のように構成された冷蔵庫は、図１７に示す冷却トレー７１を、図１８に示すように、ＩＨ調理器７６上に移すと、ＩＨ調理器７６の加熱コイル部７７からは磁場が発生しているため、その磁場を受け、コイルで構成されている受給側非接触電装置７２は、実施の形態１から３と同様、電磁結合によりペルチェ素子７４に電源供給を行うことができる。
【００８３】
その結果、ペルチェ素子７４が備える冷却板７３がトレー７１の内側に展開されているため、ＩＨ調理器７６上に冷却トレー７１を置くことで、例えば液体状のものを冷却しながら、攪拌または調味料を加えるなどの調理が可能となる。調理後、冷却トレー７１ごと冷蔵庫の冷蔵室６６内に戻し、冷却保存することも可能となる。
【００８４】
以上のように本実施の形態４は、冷蔵庫の収納容器（冷却トレー７１）に冷却機能を持たせ、冷蔵庫から収納容器（冷却トレー７１）を取出した後、冷蔵庫以外の機器と収納容器（冷却トレー７１）を組合せて使用することで、冷蔵庫とは異なる収納容器（冷却トレー７１）の使用形態を得ることができ、調理の中で利便性を図ることができる。
【００８５】
（実施の形態５）
図１９は、本発明の実施の形態５における非接触電源装置の認証制御内容のシーケンスを示す図である。
【００８６】
本実施の形態５は、実施の形態１から３のいずれかの形態で示した、供給側非接触電源装置１０、５２と受給側非接触電源装置３、５３の間で、電源供給を行う前に認証を行う制御の流れを示している。
【００８７】
ステップ１で供給側非接触電源装置１０、５２から受給側非接触電源装置３、５３へ低電圧（数Ｖ）の初期電圧を印加し、受給側非接触電源装置３、５３から認証コードの返信を待つ。ステップ２−ａで、受給側非接触電源装置３、５３から供給側非接触電源装置１０、５２へ認証コードが返信されたことが確認できた場合、ステップ３で、所定の電源供給を行うことができる。ステップ２−ｂのように、受給側非接触電源装置３、５３より認証コードの返信がない場合、あるいは該当しないデータが返信された場合は、供給側非接触電源装置１０、５２の動作を停止させる。
【００８８】
前記信号の処理動作およびその動作中に送受される認証コードは、予めマイクロコンピュータ等にプログラムされており、そのプログラムに沿って最終判断される。
【００８９】
以上のような制御手段を本発明の各実施の形態に備えることで、不特定多数の電磁結合による電源供給で動作する機器に対して、所定以外の電圧印加など、不安全な動作を防ぐことができる。また、認証結果を、ＬＥＤの点灯や音で報知することは、使用者にとって有益である。
【００９０】
上記本実施の形態１乃至３においては冷蔵庫本体１に設けた複数の貯蔵室１ｂ、１ｃ、１ｆにそれぞれの形態を備えた差し替え可能な貯蔵容器（製氷室２、サーバーユニット４５、冷蔵室６８）を配置する構成としたが、上記貯蔵室１ｂ、１ｃ、１ｆを専用化し、それぞれに製氷室２、サーバーユニット４５、冷蔵室６８それぞれを常設した複数の機能を備える冷蔵庫とすることも可能であることは、当業者であれば容易に理解でき得ることである。
【００９１】
また、製氷室２とサーバーユニット４５の外形および寸法を同一とすることにより、相互に差し替えできる、すなわち、収納空間１ｃ、１ｆに互換性をもたせ、使用することができる。
【産業上の利用可能性】
【００９２】
本発明にかかる物品貯蔵装置は、貯蔵庫本体より、独自の環境を創出する機能を備える収納容器を取外して使用することが可能となるため、例えば冷蔵庫の貯蔵室の一部屋を切り離した場合、貯蔵室の冷却環境が手元でも使用することができ、冷蔵庫等の貯蔵装置の冷却機能に限らず、空質機能にも応用でき、利便性を高めることができる。
【図面の簡単な説明】
【００９３】
【図１】本発明の実施の形態１における冷蔵庫の一部の扉を開放した状態の正面図
【図２】同実施の形態１における着脱可能な製氷室の外観図
【図３】同実施の形態１における冷蔵庫の要部正面断面図
【図４】同実施の形態１における冷蔵庫の要部側断面図
【図５】同実施の形態１における冷蔵庫の制御ブロック回路図
【図６】同実施の形態１における冷蔵庫の製氷室を取外した要部側断面図
【図７】同実施の形態１における冷蔵庫から取外した製氷室の卓上使用状態を示す側断面図
【図８】本発明の実施の形態２における冷蔵庫の要部側断面図
【図９】同実施の形態２における冷蔵庫の制御ブロック回路図
【図１０】同実施の形態２における冷蔵庫から取外した製氷室の卓上使用状態を示す側断面図
【図１１】同実施の形態２における卓上使用状態における製氷室の制御ブロック図
【図１２】本発明の実施の形態３における冷蔵庫の一部の扉を開放した状態の正面図
【図１３】同実施の形態３における着脱可能なビールサーバーユニットの外観図
【図１４】同実施の形態３におけるビールサーバーユニットを搭載した冷蔵庫の要部側断面図
【図１５】同実施の形態３における冷蔵庫から取外したビールサーバーユニットの卓上仕様状態を示す側断面図
【図１６】本発明の実施の形態４における冷蔵庫の一部の扉を開放した状態の正面図
【図１７】同実施の形態４における冷蔵庫の冷蔵室を示す要部側断面図
【図１８】同実施の形態４における冷蔵庫から取出した冷却トレーのＩＨ調理器上での使用状態を示す要部側断面図
【図１９】本発明の実施の形態５における非接触電源装置の認証制御内容のシーケンスを示す図
【図２０】従来のコンポーネント冷蔵庫の構成を示す斜視図
【図２１】従来の非接触電源を備えた携帯電話の制御ブロック回路図
【符号の説明】
【００９４】
１    冷蔵庫本体
２    製氷室
３    受給側非接触電源装置
４    機構部
５    製氷皿
６    引出し
７    固定溝
８    通気口
９    引出しレール
１０  供給側非接触電源装置
１１  固定レール
１２  トレー
１３  冷却風路
１４  給水タンク
１５  電磁弁
１６  給水口
１７  突起
１８  突起
１９  ダンパ
２０  ダンパ
２１  冷蔵庫回路部
２２  製氷装置回路部
２３  制御装置
２４  コンプレッサ
２５  ファン
２６  周波数変換回路
２７  周波数検知回路
２８  周波数変換回路
２９  製氷モータ
３０  温度センサ
３１  卓上
３２  輻射冷却板
３３  ペルチェ素子
３４  放熱器
３５  磁性スイッチ
３６  卓上電源装置
３７  供給側非接触電源装置
３８  冷却ファン
３９  磁性素子
４０  スイッチ
４１  コンセントプラグ
４２  ファン用電源
４３  商用電源
４４  切替え室
４５  ビールサーバーユニット
４６  注ぎレバー
４７  注ぎ口
４８  容量表示部
４９  切替えスイッチ
５０  固定溝
５１  蓋
５２  供給側非接触電源装置
５３  受給側非接触電源装置
５４  電動ポンプ
５５  供給口
５６  タンク
５７  内蓋
５８  輻射冷却板
５９  ペルチェ素子
６０  放熱器
６１  突起
６２  突起
６３  通気口
６４  ダンパ
６５  ダンパ
６６  磁性素子
６７  磁性スイッチ
６８  冷蔵室
６９  通気口
７０  引出しレール
７１  冷却トレー
７２  受給側非接触電源装置
７３  冷却板
７４  ペルチェ素子
７５  放熱器
７６  ＩＨ調理器
７７  加熱コイル部
【図１】
2006336969.tif 000003
【図２】
2006336969.tif 000004
【図３】
2006336969.tif 000005
【図４】
2006336969.tif 000006
【図５】
2006336969.tif 000007
【図６】
2006336969.tif 000008
【図７】
2006336969.tif 000009
【図８】
2006336969.tif 000010
【図９】
2006336969.tif 000011
【図１０】
2006336969.tif 000012
【図１１】
2006336969.tif 000013
【図１２】
2006336969.tif 000014
【図１３】
2006336969.tif 000015
【図１４】
2006336969.tif 000016
【図１５】
2006336969.tif 000017
【図１６】
2006336969.tif 000018
【図１７】
2006336969.tif 000019
【図１８】
2006336969.tif 000020
【図１９】
2006336969.tif 000021
【図２０】
2006336969.tif 000022
【図２１】
2006336969.tif 000023